(57)【要約】【課題】給気風路内の気密が組立状態や施工状態に左右されにくく、給気風路内と給気風路外が完全に遮断できる換気装置を提供すること。【解決手段】箱状の本体枠２の一側面に外気を吸入する本体給気口３を設け、本体枠２の内部には給気ファン４、モーター５と給気ファンケーシング６を有し、本体枠２の開口部に本体カバー９を取り付けて、本体給気口３から給気ファンケーシング６を経て本体カバー９から吹出す風路を構成する換気装置において、本体カバー９に給気ファンケーシング６と本体枠２との嵌合手段を設けるとともに、給気ファンケーシング６を、ケーシング部２２と本体給気口３に当接し前記ケーシング部２２までの給気風路を形成するチャンバー部２３とで一体に形成し、本体枠２とチャンバー部２３との嵌合手段を設ける【選択図】図１
2006266564.tif 000002
【特許請求の範囲】
【請求項１】
一面に開口部を有した箱状の本体枠の一側面に外気を吸入する本体給気口を設け、前記本体枠の内部には給気ファン、モーターと給気ファンケーシングを有し、前記本体枠の開口部に本体カバーを取り付けて、本体給気口から給気ファンケーシングを経て本体カバーから吹出す風路を構成する換気装置において、本体カバーに給気ファンケーシングと本体枠との嵌合手段を設けたことを特徴とする換気装置。
【請求項２】
本体枠開口部の内周部に設けた本体枠段差部と、本体カバーの裏面外周縁部に設けた本体カバー縁壁が嵌合することを特徴とする請求項１記載の換気装置。
【請求項３】
本体カバー縁壁は本体カバーの裏面外周縁部の全周に上方に向いた壁を形成したことを特徴とする請求項２記載の換気装置。
【請求項４】
本体カバー縁壁の先端の厚みが傾斜により薄くなる形状としたことを特徴とする請求項３記載の換気装置。
【請求項５】
本体カバー内側に設けた本体カバー突壁部と給気ファンケーシングの前記本体カバー裏面に対向する位置に設けたケーシング段差部が嵌合することを特徴とする請求項１〜４いずれかに記載の換気装置。
【請求項６】
本体カバー突壁部の先端の厚みが傾斜により薄くなる形状としたことを特徴とする請求項５記載の換気装置。
【請求項７】
本体カバーは透明材料にて形成されたことを特徴とする請求項１〜６いずれかに記載の換気装置。
【請求項８】
一面に開口部を有した箱状の本体枠の一側面に外気を吸入する本体給気口を設け、前記本体枠の内部には給気ファン、モーターと給気ファンケーシングを有した換気装置において、給気ファンケーシングは、給気ファンとモーターを内蔵するケーシング部と、本体給気口に当接し前記ケーシング部までの給気風路を形成するチャンバー部とを一体に形成することを特徴とする換気装置。
【請求項９】
本体枠と給気ファンケーシングとの嵌合手段として、本体給気口に突壁部を設け、前記突壁部と前記給気ファンケーシングのチャンバー部のチャンバー段差部が嵌合することを特徴とする請求項８記載の換気装置。
【発明の詳細な説明】
【技術分野】
【０００１】
本発明は、屋外空気を室内に導入する給気形の換気装置に関するものである。
【背景技術】
【０００２】
従来、この種の換気装置としては、給気用ダクト扇において、本体内部に送風機を配置したものが知られている（例えば、特許文献１参照）。
【０００３】
以下、その給気用ダクト扇について図６を参照しながら説明する。図に示すように、箱状で一側面に本体給気口１０４を有し、この本体給気口１０４に、室外に連通したダクト１０６を接続するアダプター１０５を突設するとともに、この本体１０１内部には送風機吸込口１１２および送風機吐出口１１３を有した送風機１１１が備えられており、前記送風機１１１は送風機吸込口１１２が本体給気口１０４と対向する位置に、かつ送風機吐出口１１３が室内１２１に連通するように配置したものである。
【特許文献１】特開平６−２２９６０７号公報
【発明の開示】
【発明が解決しようとする課題】
【０００４】
このような従来の換気装置の構成では、給気風路を構成する本体枠と給気ファンケーシングが当接する箇所は、面での接合であり、接合状態は組立状態や施工状態に左右されやすいので、給気風路内と給気風路外の遮断すなわち給気風路の気密性が確保しにくく、隙間からの空気漏れが機器性能を低減させるいう課題があり、組立状態や施工状態に左右されずに給気風路を構成する部品が簡単かつ確実に組みつけられることが要求されている。
【０００５】
本発明は、上記課題を解決するもので、組立状態や施工状態に左右されにくく、給気風路を構成する部品が簡単かつ確実に組みつけられて気密性を高めることのできる換気装置を提供することを目的としている。
【課題を解決するための手段】
【０００６】
本発明の換気装置は上記目的を達成するために、開口部を有した箱状の本体枠の内部に給気ファン、モーターと給気ファンケーシングを有し、前記本体枠の開口部に本体カバーを取付けて、本体給気口から給気ファンケーシングを経て本体カバーから吹出す風路を構成する換気装置の、本体カバーに給気ファンケーシングと本体枠との嵌合手段を設けたものである。
【０００７】
この手段により給気風路を構成する部品が簡単かつ確実に組みつけられて気密性を高めることのできる換気装置が得られる（請求項１）。
【０００８】
また、本発明の換気装置は上記目的を達成するために、本体枠開口部の内周部に設けた本体枠段差部と、本体カバーの裏面外周縁部に設けた本体カバー縁壁が嵌合するようにしたものである。
【０００９】
この手段により給気風路を構成する部品が簡単かつ確実に組みつけられて気密性を高めることのできる換気装置が得られる（請求項２）。
【００１０】
また、本発明の換気装置は上記目的を達成するために、本体カバー縁壁は本体カバーの裏面外周縁部の全周に上方に向いた壁を形成したものである。
【００１１】
この手段により給気風路を構成する部品が簡単かつ確実に組みつけられて気密性を高めることのできる換気装置が得られる（請求項３）。
【００１２】
また、本発明の換気装置は上記目的を達成するために、本体カバー縁壁の先端の厚みを薄くする形状としたものである。
【００１３】
この手段により給気風路を構成する部品が簡単かつ確実に組みつけられて気密性を高めることのできる換気装置が得られる（請求項４）。
【００１４】
また、本発明の換気装置は上記目的を達成するために、本体カバー内側に設けた本体カバー突壁部と給気ファンケーシングの前記本体カバー裏面に対向する位置に設けたケーシング段差部を嵌合するようにしたものである。
【００１５】
この手段により給気風路を構成する部品が簡単かつ確実に組みつけられて気密性を高めることのできる換気装置が得られる（請求項５）。
【００１６】
また、本発明の換気装置は上記目的を達成するために、本体カバー突壁部の先端の厚みを薄くする形状としたものである。
【００１７】
この手段により給気風路を構成する部品が簡単かつ確実に組みつけられて気密性を高めることのできる換気装置が得られる（請求項６）。
【００１８】
また、本発明の換気装置は上記目的を達成するために、本体カバーを透明にしたものである。
【００１９】
この手段により給気風路を構成する部品が簡単かつ確実に組みつけられて気密性を高めることのできる換気装置が得られる（請求項７）。
【００２０】
また、本発明の換気装置は上記目的を達成するために、一面に開口部を有した箱状の本体枠の一側面に外気を吸入する本体給気口を設け、給気ファンケーシングは、給気ファンとモーターを内蔵するケーシング部と、本体給気口に当接し前記ケーシング部までの給気風路を形成するチャンバー部とを一体に形成したものである。
【００２１】
この手段により給気風路を構成する部品が簡単かつ確実に組みつけられて気密性を高めることのできる換気装置が得られる（請求項８）。
【００２２】
また、本発明の換気装置は上記目的を達成するために、本体枠の本体給気口に突壁部を設け、給気ファンケーシングのチャンバー部のチャンバー段差部を嵌合するようにしたものである。
【００２３】
この手段により給気風路を構成する部品が簡単かつ確実に組みつけられて気密性を高めることのできる換気装置が得られる（請求項９）。
【発明の効果】
【００２４】
本発明によれば給気風路を構成する部品が簡単かつ確実に組みつけられて隙間からの空気漏れが少なくなり、気密性を高めることができて、機器性能が低減しないため寒冷地等結露の発生しやすい状況や地域においても使用することが可能になり、さらに隙間で発生する騒音低減や省電力化を図ることができる換気装置を提供できる。
【発明を実施するための最良の形態】
【００２５】
本発明の請求項１記載の発明は、開口部を有した箱状の本体枠の内部に給気ファン、モーターと給気ファンケーシングを有し、前記本体枠の開口部に本体カバーを取付けて、本体給気口から給気ファンケーシングを経て本体カバーから吹出す風路を構成する換気装置の、本体カバーに給気ファンケーシングと本体枠との嵌合手段を設けたものであり、嵌合手段により給気風路を構成する部品を取付ける際に位置合わせが確実に行なわれ、給気風路に隙間が生じないという作用を有する。
【００２６】
また、本発明の請求項２記載の発明は、本体枠開口部の内周部に設けた本体枠段差部と、本体カバーの裏面外周縁部に設けた本体カバー縁壁が嵌合したものであり、本体枠と本体カバーの位置合わせが確実に行なわれ、給気風路に隙間が生じないという作用を有する。
【００２７】
また、本発明の請求項３記載の発明は、本体カバー縁壁は本体カバーの裏面外周縁部の全周に上方に向いた壁を形成したものであり、低温の外気を給気時に給気ファンケーシング結露が発生した場合に結露水滴の滴下を受ける器を形成するという作用を有する。
【００２８】
また、本発明の請求項４および請求項６記載の発明は、本体カバー縁壁と本体カバー突壁の先端の厚みが傾斜により薄くなる形状としたものであり、本体カバーを組み付ける際に位置的なズレが多少あっても本体カバーを被せることができ、本体カバーを押し込むと傾斜に沿って位置修正され、本体カバーが正規の位置に取り付くという作用を有する。  
【００２９】
また、本発明の請求項６記載の発明は、本体カバー内側に設けた本体カバー突壁部と給気ファンケーシングの前記本体カバー裏面に対向する位置に設けたケーシング段差部が嵌合したものであり、本体カバーと本体ケーシングの位置合わせが確実に行なわれ、給気風路に隙間が生じないという作用を有する。
【００３０】
また、本発明の請求項７記載の発明は、本体カバーが透明材料にて形成されたものであり、本体カバーを取付ける際に本体枠を目視しながら作業できるだけでなく、取付け後にも本体枠内の状況を目視できるという作用を有する。
【００３１】
また、本発明の請求項８記載の発明は、一面に開口部を有した箱状の本体枠の一側面に外気を吸入する本体給気口を設け、給気ファンケーシングは、給気ファンとモーターを内蔵するケーシング部と、本体給気口に当接し前記ケーシング部までの給気風路を形成するチャンバー部とを一体に形成したものであり、部品点数が低減し、本体給気口から給気ファンまでに隙間ができないという作用を有する。
【００３２】
また、本発明の請求項９記載の発明は、本体枠の本体給気口に突壁部を設け、給気ファンケーシングのチャンバー部のチャンバー段差部が嵌合するようにしたものであり、本体給気口と給気ファンケーシングの位置合わせが確実に行なわれ、給気風路に隙間が生じないという作用を有する。
【００３３】
以下、本発明の実施の形態について、給気ダクトファンを例にして図面を参照しながら説明する。
【００３４】
（実施の形態１）
図１は本発明の実施の形態１における換気装置の天井への取付状態図（断面図）を示したもので、換気装置１には、下面を開口にした箱状形態の本体枠２の一側面に本体給気口３が設けてあり、前記本体枠２の内部に給気ファン４とモーター５と給気ファンケーシング６を収納してある。前記給気ファンケーシング６の下部には給気ファン４の吐出口７が設けてあり、また側部には吸込口８が設けてあり、さらに下面の開口部分を覆うように本体カバー９を取付けて給気風路１０を構成している。前記本体枠２は天井１１裏に設置され、室外に連通するダクト１２と本体枠２の本体給気口３を接続するアダプター１３を設けるとともに、室内側１４にはグリル１５が取付けられている。したがって、上記構成の換気扇は、ダクト１２を通して室外の空気を取り込み、給気ファンケーシング６の吸込口８、給気ファン４、吐出口７を通って給気風路１０の気流を形成し、グリル１５より室内側１４に給気される。
【００３５】
図２は本発明の実施の形態１における前記本体カバー９の裏面側を示す斜視図で、前記給気ファンケーシング６と本体枠２への嵌合手段を設けた面を示している。図２に示すように、本体カバー９の外周縁部には本体枠２との嵌合手段として本体カバー縁壁１６が全周にわたって上方に向けて形成してある。また、本体カバー９の内側中央部には、吐出口７に対向した開口部１７を設けるとともに、前記吐出部７を有する給気ファンケーシング６との嵌合手段として本体カバー突壁部１８が全周にわたり上方に向けて形成してある。
【００３６】
そして、図１に示すように、前記本体カバー縁壁１６と嵌合する本体枠２の嵌合手段として本体枠２の内周に本体枠段差部１９が、また前記本体カバー突壁部１８と嵌合する給気ファンケーシング６の嵌合手段としてケーシング段差部２０が形成されている。
【００３７】
図３は本発明の実施の形態１における換気装置の本体カバーと本体枠との嵌合部分を示した拡大断面図で、図に示すように前記本体カバー縁壁１６の先端部２１は傾斜により厚みを薄くする形状すなわちテーパーやＣカットが設けてある。同様の形状を前記ケーシング段差部２０と嵌合する本体カバー突壁部１８の先端にも設ける（図示省略）。
【００３８】
図４は本発明の実施の形態１における本体枠２と給気ファンケーシング６を示す斜視図で、本体枠２から給気ファンケーシング６を引き出した状態を示している。図において、給気ファンケーシング６は、給気ファン４とモーター５（図示省略）とを内蔵するケーシング部２２と、本体給気口３に当接しケーシング部２２までの給気風路部を形成するチャンバー部２３とから一体に構成されている。さらに、本体枠２の本体給気口３に、嵌合手段として給気ファンケーシング６の吸込口８に向かう方向に突壁部２４を設けるとともに、給気ファンケーシング６側にもチャンバー部２３にチャンバー段差部２５を設けている。
【００３９】
かかる構成によれば図１、図４に示すように、本体カバー縁壁１６と本体枠段差部１９が嵌合し、また本体カバー突壁部１８とケーシング段差部２０が嵌合し、さらに本体枠２の突壁部２４とチャンバー段差部２５が嵌合するので、給気ファンケーシング６と本体枠２と本体カバー９により構成される給気風路１０は気密性が高まり、給気ファン４が駆動し室内に給気される空気は、本体枠２内の給気風路１０からリークすることなく、効率的にダクト１２を介して室外より取り込まれる。さらには突壁部２４とチャンバー段差部２５が重なりあって形成するチャンバー部２３の内壁が面一になるようにしているので、給気風路１０の抵抗を低減させることができスムーズな給気を可能としている。これらのことにより換気装置の省電力化や低騒音化が図れる。
【００４０】
特に、図に示すような天井埋込型や、また壁掛け型等の、吐出口が室内の前面に形成されるような構成の換気扇においては、騒音が直接的に屋内に伝わるため、騒音低減の効果は有用である。また、２４時間連続的に使用される常時換気型換気扇においては、騒音低減と共に、省電力化の効果は特に有用である。
【００４１】
また、図１、図４に示すように、本体カバー縁壁１６と本体枠段差部１９が嵌合し、また本体カバー突壁部１８とケーシング段差部２０が嵌合し、さらに本体枠２の突壁部２４とチャンバー段差部２５が嵌合して給気風路が構成される構造としているので、組立の際にガイドの役割を果たし、成形品の歪み等の変形も強制しながら確実に正規の位置に部品が取り付き、作業バラツキや成形状態のバラツキにより給気ファンケーシング６、本体枠２、本体カバー９の相互間に隙間が発生したり、その隙間を充填するために前記部品相互間にパッキン材やコーキング材を使用するといった必要もなくなるので、気密性を維持しつつも給気ファンケーシング６、本体枠２、本体カバー９の取外しが容易に行え、メンテナンス性を損なうこともない。なお、段差部のところにパッキン材やコーキング材を併用すればさらに気密が確実になることは言うまでもない。
【００４２】
特に、給気ファン４およびモーター５を備える給気ファンケーシング６は、換気装置の製品寿命に大きく影響してくる部分なので、容易にメンテナンスがおこなえる構造であるのは有用である。
【００４３】
また、図３に示すように、本体カバー９の裏面外周縁部に形成した本体カバー縁壁１６の先端部２１に、先端の厚みが傾斜により薄くなる形状を設けたので、挿入の最初の段階では、本体枠２の本体枠段差部１９と本体カバー９の本体カバー縁壁１６との間にできる空間が大きく、本体枠２に本体カバー９を挿入しやすい形状となっており、挿入が進むにつれて、本体カバー９の本体カバー縁壁１６の間にできる空間が狭くなっていき、接合面を徐々に密着させることができる。このことにより組立性を向上するとともに、確実な気密性も確保することができる。
【００４４】
これと同様の形状を本体カバー突壁部１８に設け、ケーシング段差部接合面を徐々に密着させることができる。このことにより組立性を向上するとともに、確実な気密性も確保することができる。
【００４５】
また、本体カバー９の裏面外周縁部全周に上方を向く本体カバー縁壁１６を設けているので、換気装置運転時に給気した外気が風路の隙間からリークして本体枠２内に結露水が発生した場合に、その結露水を室内側にこぼすことなく本体カバー９に溜めることが可能となり、使用者によって溜まった結露水は排出してもらう構造とできる。これは、特に寒冷地等、結露が発生しやすい状況や地域において、わずかな隙間や断熱性能により多少の結露が発生しても滴下水の受け皿としての機能をはたし、この場合でも換気装置の使用が可能となり、換気装置に広い汎用性を持たせることができる。
【００４６】
また、本体カバー９は透明材料にて形成し、本体枠２内の様子が容易に確認できるので、結露水が本体枠２内に発生したり、給気ファン４やモーター５に異常が発生した場合においても、早期に発見し適切な処置を施すことが可能となる。
【００４７】
なお、本実施の形態では給気ダクトファンを例に説明したが、同様の送風機を有するものであれば送風機器、空調機器等であっても、同様の効果を発揮するものである。
【００４８】
（実施の形態２）
図５は本発明の実施の形態２の換気装置を示す天井への取付状態図（断面図）を示したものである。図５において、図１と同じ構成要素については同じ符号を用い、説明を省略する。図５に示すように、本体カバー９と本体枠２との嵌合手段として、本体枠２の内周にくぼみ形状である本体カバーはめ込み部２６と、前記本体カバーはめ込み部２６にはまりあう形状に形成された本体カバー外縁２７とが形成されており、本体カバーはめ込み部２６と本体カバー外縁２７とで嵌合している。また、前記本体カバー９と給気ファンケーシング６との嵌合手段として、給気ファンケーシング６のケーシング段差部２０の形状にはまりあう形状が、本体カバー凹部２８として形成され、ケーシング段差部２０と本体カバー凹部２８とが嵌合している。
【００４９】
かかる構成によっても、給気ファンケーシング６と本体枠２と本体カバー９により構成される給気風路１０は気密性が高まり、給気ファン４が駆動し室内に給気される空気は、本体枠２内の給気風路１０からリークすることなく、効率的にダクト１２を介して室外より取り込まれるので、特に結露を考慮しなくてもよい場合の嵌合手段として有用である。
【産業上の利用可能性】
【００５０】
本発明にかかる換気装置は、ファンケーシング内の気密性を維持しつつ本体カバーの着脱を行なうことができ、ファンケーシングに内蔵された羽根及びモーターの掃除、メンテナンスを容易に行なうことが可能になるので、本発明は屋内への給気、屋外への排気を行なうため建物の内部に設けられる換気装置、送風機器等の送風機として有用である。
【図面の簡単な説明】
【００５１】
【図１】本発明の実施の形態１における換気装置の天井への取付状態図（断面図）
【図２】本発明の実施の形態１における換気装置の本体カバーの裏面側を示す斜視図
【図３】本発明の実施の形態１における換気装置の本体カバーと本体枠との嵌合部分を示した拡大断面図
【図４】本発明の実施の形態１における換気装置の本体枠と給気ファンケーシングを示す斜視図
【図５】本発明の実施の形態２における換気装置の天井への取付状態図（断面図）
【図６】従来の換気装置の天井への取付状態図（断面図）
【符号の説明】
【００５２】
１  換気装置
２  本体枠
３  本体給気口
４  給気ファン
５  モーター
６  給気ファンケーシング
７  吐出口
８  吸込口
９  本体カバー
１０  給気風路
１１  天井
１２  ダクト
１３  アダプター
１４  室内
１５  グリル
１６  本体カバー縁壁
１７  開口部
１８  本体カバー突壁部
１９  本体枠段差部
２０  ケーシング段差部
２１  先端部
２２  ケーシング部
２３  チャンバー部
２４  突壁部
２５  チャンバー段差部
２６  本体カバーはめ込み部
２７  本体カバー外縁
２８  本体カバー凹部
【図１】
2006266564.tif 000003
【図２】
2006266564.tif 000004
【図３】
2006266564.tif 000005
【図４】
2006266564.tif 000006
【図５】
2006266564.tif 000007
【図６】
2006266564.tif 000008